(57)【要約】【課題】表示画面の一部に故障が発生した場合でも、運用上で重要な情報の表示を維持できる表示制御装置を提供することにある。【解決手段】本実施形態によれば、表示制御装置は、表示部コントローラ及び制御装置を有する。表示部コントローラは、表示画面を複数の表示部に分割可能な表示装置において、前記各表示部に情報を表示する。制御装置は、前記表示画面の一部で故障が検知された場合に、当該故障部分を除く前記表示画面上で前記各表示部の位置及び画面サイズを制御し、指定の情報表示を維持する。【選択図】図１
2013222175.tif 000002
【特許請求の範囲】
【請求項１】
１つの表示画面を複数の表示部に分割可能な表示装置において、前記各表示部に情報を表示する表示部コントローラと、
前記表示画面の一部で故障が検知された場合に、当該故障部分を除く前記表示画面上で前記各表示部の位置及び画面サイズを制御し、指定の情報表示を維持する制御手段と
を具備したことを特徴とする表示制御装置。
【請求項２】
前記制御手段は、
前記表示画面上で、前記指定の情報表示を維持すべき第１の表示部とそれ以外の第２の表示部を予め設定された位置に配置し、
前記第１の表示部に故障が検知された場合に、前記表示画面上での前記第１の表示部の位置を変更し、この変更及び前記故障部分に基づいて前記第２の表示部の画面サイズを縮小するように制御することを特徴とする請求項１に記載の表示制御装置。
【請求項３】
前記表示部コントローラは、
前記表示画面上を分割した第１の表示部に文字情報を表示し、第２の表示部に映像情報を表示するように構成されていることを特徴とする請求項１または請求項２のいずれか１項に記載の表示制御装置。
【請求項４】
１つの表示画面を複数の表示部に分割可能な表示装置と、
前記各表示部に表示する各情報を生成する表示情報生成装置と、
前記表示情報生成装置により生成された各情報を、対応する前記各表示部に表示する表示部コントローラと、
前記表示画面の一部で故障が検知された場合に、当該故障部分を除く前記表示画面上で前記各表示部の位置及び画面サイズを制御し、指定の情報表示を維持する表示制御装置と
を具備したことを特徴とする表示システム。
【請求項５】
前記表示制御装置は、
前記表示画面上で、前記指定の情報表示を維持すべき第１の表示部とそれ以外の第２の表示部を予め設定された位置に配置し、
前記第１の表示部に故障が検知された場合に、前記表示画面上での前記第１の表示部の位置を変更し、この変更及び前記故障部分に基づいて前記第２の表示部の画面サイズを縮小するように制御することを特徴とする請求項４に記載の表示システム。
【請求項６】
前記表示情報生成装置は、
前記表示画面上を分割した第１の表示部に表示する文字情報及び第２の表示部に表示する映像情報を生成し、
前記表示部コントローラは、
前記第１の表示部に文字情報を表示し、前記第２の表示部に映像情報を表示するように構成されていることを特徴とする請求項４または請求項５のいずれか１項に記載の表示システム。
【請求項７】
１つの表示画面を複数の表示部に分割可能な表示装置の表示制御を行なう表示制御方法であって、
前記各表示部に情報を表示する処理と、
前記表示画面の一部で故障が検知された場合に、当該故障部分を除く前記表示画面上で前記各表示部の位置及び画面サイズを制御し、指定の情報表示を維持する処理と
を実行する表示制御方法。
【発明の詳細な説明】
【技術分野】
【０００１】
本発明の実施形態は、例えば大型映像表示装置に適用する表示制御装置、表示システム及び表示制御方法に関する。
【背景技術】
【０００２】
従来、例えばＬＥＤ（light emitting diode）素子を配列して構成された表示画面を使用する大型映像表示装置が各分野で利用されている。具体的には、例えば競馬場や競艇場などの公営競技場に大型映像表示装置が設置されて、レースの実況中継、オッズ情報またはレース着順等が表示される。
【０００３】
このような大型映像表示装置において、ＬＥＤ素子の経年劣化などにより、表示画面の一部が故障により表示できない状態が発生する可能性がある。このような場合には、大型映像表示装置が設置された現地において、例えば故障部分を含む表示タイルを交換して修理する処置がなされる。
【先行技術文献】
【特許文献】
【０００４】
【特許文献１】特開２０１１−３９３１１号公報
【発明の概要】
【発明が解決しようとする課題】
【０００５】
製品納入後の大型映像表示装置において、表示画面の一部が故障により表示できない状態が発生した場合に、故障部分を含む表示タイルを交換することで修理することが可能である。しかしながら、公営競技場などにおいて、例えばレース着順の表示は重要な表示である。このため、レース着順などの重要な表示ができない状態での修理作業は、大型映像表示装置の運用上の支障となる。
【０００６】
そこで、本発明の目的は、表示画面の一部に故障が発生した場合でも、運用上で重要な情報の表示を維持できる表示制御装置を提供することにある。
【課題を解決するための手段】
【０００７】
本実施形態によれば、表示制御装置は、表示部コントローラ及び制御手段を有する。表示部コントローラは、表示画面を複数の表示部に分割可能な表示装置において、前記各表示部に情報を表示する。制御手段は、前記表示画面の一部で故障が検知された場合に、当該故障部分を除く前記表示画面上で前記各表示部の位置及び画面サイズを制御し、指定の情報表示を維持する。
【図面の簡単な説明】
【０００８】
【図１】実施形態に関する表示システムの構成を説明するためのブロック図。
【図２】実施形態に関する表示制御装置の動作を説明するための図。
【図３】実施形態に関する表示制御装置の動作を説明するための図。
【図４】実施形態に関する故障検知方法の一例を説明するためのブロック図。
【図５】実施形態に関する表示システムの動作を説明するためのフローチャート。
【発明を実施するための形態】
【０００９】
以下図面を参照して、実施形態を説明する。
【００１０】
［表示システムの構成］
図１に示すように、本実施形態の表示システムは、多数のＬＥＤ（light emitting diode）素子を配列して構成された表示画面を有する大型映像表示装置（以下、単に表示装置と表記する）１０と、表示制御装置と、上位システム１４とを有する。大型映像表示装置１０の表示画面は、複数の表示部（部分的表示画面）に分割可能であり、便宜的に映像表示部１０Ａと文字表示部１０Ｂからなる。映像表示部１０Ａは、例えば公営競技場でのレースの実況中継用の映像情報を表示する。文字表示部１０Ｂは、レース着順等の確定情報（文字情報）を表示する。
【００１１】
表示制御装置は、ＬＥＤコントローラ１２Ａ，１２Ｂと、画像合成装置１３と、コンピュータ（パーソナルコンピュータ）１５とを含む。ＬＥＤコントローラ１２Ａは、映像表示部１０Ａの表示動作を制御する。ＬＥＤコントローラ１２Ｂは、文字表示部１０Ｂの表示動作を制御する。画像合成装置１３は、上位システム１４により生成された映像表示情報１４０Ａ及び文字表示情報（確定表示情報）１４０Ｂを入力し、１つの表示画像として合成する。さらに、画像合成装置１３は、合成した１つの表示画像を映像表示画像と文字表示画像に分割し、それぞれをＬＥＤコントローラ１２Ａ，１２Ｂに出力する。
【００１２】
ＬＥＤコントローラ１２Ａは、画像合成装置１３から出力される映像表示画像に基づいて映像表示情報１４０Ａに対応する映像を映像表示部１０Ａに表示する。ＬＥＤコントローラ１２Ｂは、画像合成装置１３から出力される文字表示画像に基づいて文字表示情報１４０Ｂに対応する文字情報（レース着順等の確定情報）を文字表示部１０Ｂに表示する。ここで、上位システム１４はサーバからなり、公営競技場に設置されたカメラにより撮影されたレースの実況映像を処理して映像表示情報１４０Ａを生成する。また、上位システム１４は、公営競技場に設置された情報収集装置（端末装置）から入力されたレース着順等の確定情報（文字情報）を編集処理して文字表示情報１４０Ｂを生成する。上位システム１４は、サーバの２重化構成などにより確定情報（文字情報）を確実に保護できる構成である。
【００１３】
コンピュータ１５は、予め設定された表示位置と画面サイズ（画角）を制御（調整）するように画像合成装置１３に指示する。コンピュータ１５は、コマンドを入力するための操作部１６及びディスプレイ１７を有する。画像合成装置１３は、コンピュータ１５の制御に応じて、映像表示部１０Ａの画面サイズと、表示画面上での文字表示部１０Ｂの位置を制御する。コンピュータ１５は、上位システム１４からの画面表示パターン切替制御信号に応じて、後述するように、画像合成装置１３を介して映像表示部１０Ａの画面サイズと文字表示部１０Ｂの位置を変更する制御を実行する。また、コンピュータ１５は、表示装置１０に設けられた故障検知装置１１からの表示画面の故障検知信号１１０を受信した場合に、映像表示部１０Ａの画面サイズと文字表示部１０Ｂの位置を変更する制御を実行する構成でもよい。
【００１４】
［表示制御動作］
次に図２、３及び図５のフローチャートを参照して、本実施形態の表示制御動作を説明する。
【００１５】
先ず、上位システム１４は、例えば公営競技場に設置されたカメラからのレースの実況映像を処理して映像表示情報１４０Ａを生成する。画像合成装置１３は、映像表示画像をＬＥＤコントローラ１２Ａに出力する。ＬＥＤコントローラ１２Ａは、画像合成装置１３から出力される映像表示画像に基づいて、映像表示情報１４０Ａに対応する映像を表示装置１０の映像表示部１０Ａに表示する。
【００１６】
この場合、映像表示部１０Ａの画面サイズは、画像合成装置１３により予め設定される。ここでは、表示画面上で予め位置が設定されている文字表示部１０Ｂには、まだレース着順等の確定情報（文字情報）は表示されない。
【００１７】
次に、上位システム１４は、公営競技場に設置された情報収集装置（端末装置）からレース着順等の確定情報（文字情報）を収集すると、文字表示情報１４０Ｂを生成する。即ち、上位システム１４は、映像表示情報１４０Ａと文字表示情報１４０Ｂを生成して、画像合成装置１３に出力する（ステップＳ１）。画像合成装置１３は、映像表示情報１４０Ａ及び文字表示情報１４０Ｂを１つの表示画像として合成し、さらに合成した１つの表示画像を映像表示画像と文字表示画像に分割してＬＥＤコントローラ１２Ａ，１２Ｂに出力する（ステップＳ２）。
【００１８】
ＬＥＤコントローラ１２Ａ，１２Ｂの表示動作により、図１に示すように、表示装置１０の表示画面上には映像及び文字情報（レース着順等の確定情報）が表示される（ステップＳ３）。即ち、映像表示部１０Ａには、映像表示情報１４０Ａに対応する映像が表示される。また、文字表示部１０Ｂには、文字表示情報１４０Ｂに対応する文字情報（レース着順等の確定情報）が表示される。このような表示処理は、公営競技場のレースが終了するまで継続する（ステップＳ６）。表示装置１０の表示画面は、映像表示情報１４０Ａと文字表示情報１４０Ｂの更新に応じて表示内容が変化する。
【００１９】
以上の表示処理中に、特に文字表示部１０Ｂに故障が発生した場合の制御を説明する（ステップＳ４のＹＥＳ）。従来では、文字表示部１０Ｂを構成する表示タイル単位で交換する作業が行われる。このため、文字表示部１０Ｂの表示処理は中断することになる。本実施形態は、このような交換作業を行なうことなく、文字表示部１０Ｂの表示を維持する構成である。
【００２０】
ここで、映像表示部１０Ａ及び文字表示部１０Ｂのいずれも、表示タイル単位で交換が可能である。通常では、表示タイルは横が４００mmで縦が２００mm程度のサイズである。文字表示部１０Ｂは、例えば３２表示ユニットから構成されている。表示ユニットは複数の表示タイルから構成される。
【００２１】
そこで、コンピュータ１５は、画像合成装置１３を介して文字表示部１０Ｂの位置を変更する制御を実行する（ステップＳ５）。具体的には、図２に示すように、故障部分を含む画面エリア１０Ｃから映像表示部１０Ａのエリアまで文字表示部１０Ｂの位置をずらすように変更する。さらに、コンピュータ１５は、文字表示部１０Ｂの位置を変更に伴って、映像表示部１０Ａの画面サイズを縮小するように変更する。また、図３に示すように、映像表示部１０Ａと文字表示部１０Ｂの位置を交換することもできる。
【００２２】
以上のようにして、本実施形態によれば、レースの実況映像などの映像とレース着順等の文字情報（確定情報）を合成して大型表示画面に表示するシステムにおいて、文字表示部１０Ｂを構成する表示ユニットに故障が発生した場合に、文字表示部１０Ｂの表示画面上での位置を変更する。同時に、映像表示部１０Ａの画面サイズ（画角）を縮小する。従って、故障した表示タイルを交換することなく、文字表示部１０Ｂでのレース着順等の文字情報（確定情報）の表示を維持できる。なお、故障した表示タイルを交換する修理作業は、例えばレースの終了後に実行すればよい。
【００２３】
これにより、大型表示画面の一部が故障した場合に、修理作業に伴う重要な表示の中断を招くような大型映像表示装置の運用上の支障を回避できる。ここで、文字表示部１０Ｂの表示画面上での位置を変更する場合に、実際上では、一時的にＬＥＤコントローラ１２Ａ，１２Ｂに対する映像信号の出力を停止するため、大型表示画面の表示は中断となる。しかし、この中断時間は短時間のため、大型映像表示装置の運用上の支障はない。ここで、映像表示部１０Ａの画面サイズが縮小しても、運用上の支障はない。
【００２４】
本実施形態は、特に以下のような状況で有効である。
【００２５】
故障した表示タイルを交換する作業は、例えば５分程度で可能な場合もある。この場合、特に故障個所が文字表示に多大な影響があることが想定されるため、表示タイルの交換作業が終了までに文字表示を維持する繋ぎとして有効である。なお、交換作業は、例えば各レース間の合間に実行できる。
【００２６】
文字表示部１０Ｂを構成する表示ユニットは、例えば３２個程度の表示タイルから構成される。この場合、表示ユニット毎に電源が設けられている。電源故障が発生すると、文字表示部１０Ｂの全表示が消えることが予想される。このような場合の対策として有効である。なお、映像表示部１０Ａと文字表示部１０Ｂの電源供給は、系統分けされているが、特に文字表示部１０Ｂの電源系統故障時に有効である。
【００２７】
また、本実施形態において、大型表示画面の故障検知は、従来の表示装置１０に設けられた故障検知装置１１により実現する方法または他の方法を適用してもよい。具体例として、コンピュータ１５は、表示装置１０に設けられた故障検知装置１１からの表示画面の故障検知信号１１０を受信した場合に、映像表示部１０Ａの画面サイズと文字表示部１０Ｂの位置を変更する制御を実行する。また、コンピュータ１５は、上位システム１４からの画面表示パターン切替制御信号に応じて、画像合成装置１３を介して映像表示部１０Ａの画面サイズと文字表示部１０Ｂの位置を変更する制御を実行してもよい。
【００２８】
上位システム１４は、図４に示すように、コンピュータ１５から表示画面の故障を通知する情報に基づいて画面表示パターン切替制御信号をコンピュータ１５に出力してもよい。この場合、図４に示すように、故障検出用のカメラ２０が設置されて、文字表示部１０Ｂの表示状態を監視する。コンピュータ１５は、カメラ２０撮影画像を入力し、文字表示部１０Ｂの表示文字をディスプレイ１７に表示する。作業員は、ディスプレイ１７上での目視により、文字表示部１０Ｂの部分的故障を確認する。作業員は、文字表示部１０Ｂの故障確認結果を、操作部１６を操作して上位システム１４に通知する。
【００２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１０…大型映像表示装置、１０Ａ…映像表示部、１０Ｂ…文字表示部、
１１…故障検知装置、１２Ａ，１２Ｂ…ＬＥＤコントローラ、１３…画像合成装置、
１４…上位システム、１５…コンピュータ。
【図１】
2013222175.tif 000003
【図２】
2013222175.tif 000004
【図３】
2013222175.tif 000005
【図４】
2013222175.tif 000006
【図５】
2013222175.tif 000007